(57)【要約】【課題】            簡単な構造でも充分な強度を有し、輸送及び現場での組立や移動を容易となし安全性を高めた地震用テーブルを提供する。【解決手段】        金属製のパイプで構成した枠体と、この枠体の内側に中央部で交叉するように差し渡した同じく金属製のパイプから成る複数の補強部材と、前記枠体の内側に張設した同じく金属製のパンチプレートと、前記枠体の下面に着脱可能に取り付けた複数の金属製パイプから成る脚部と、前記補強部材の中央部下面に着脱可能に取り付けたつかまり棒と、下面に前記枠体を嵌入固定させる取付枠体を設け、前記枠体の上面に着脱可能に設置されたテーブル板とで構成する。【選択図】          図２
2006239124.tif 000002
【特許請求の範囲】
【請求項１】
金属製のパイプで構成した枠体と、この枠体の内側に中央部で交叉するように差し渡した同じく金属製のパイプから成る複数の補強部材と、前記枠体の内側に張設した同じく金属製のパンチプレートと、前記枠体の下面に着脱可能に取り付けた複数の金属製パイプから成る脚部と、前記補強部材の中央部下面に着脱可能に取り付けたつかまり棒と、下面に前記枠体を嵌入固定させる取付枠体を設け、前記枠体の上面に着脱可能に設置されたテーブル板と、で構成したことを特徴とする、地震用テーブル。
【請求項２】
前記取付枠体は、前記脚部を取り付ける複数の金属製のパイプから成る取付筒体に枠部材を固着することによって構成されていることを特徴とする、請求項１に記載の地震用テーブル。
【請求項３】
前記補強部材の交叉部分には、つかまり棒を取り付ける取付筒体に固着したことを特徴とする、請求項１〜２のいずれかに記載の地震用テーブル。
【請求項４】
前記脚部とつかまり棒のいずれか一方或は双方を取り付ける取付筒体は、内部にその中心部軸方向へ挿通孔を設けた取付板部を取り付け、前記脚部とつかまり棒のいずれか一方或は双方の内部にその中心部軸方向へ雌捻子孔を設けた締着板部を取り付け、前記脚部とつかまり棒のいずれか一方或は双方の上端側を前記取付筒体へ挿入させた上で、取付ボルトを前記挿入孔を介して挿入させて前記雌捻子孔へ捻子着させたことを特徴とする、請求項１〜３のいずれかに記載の地震用テーブル。
【請求項５】
前記脚部の一部には、その下端部側に当該脚部を傾けた時に接地する移動手段を取り付けたことを特徴とする、地震用テーブル。
【発明の詳細な説明】
【技術分野】
【０００１】
この発明は、地震の際にその下部に逃げ込んで避難することのできる地震用テーブルに関する。
【背景技術】
【０００２】
平成７年１月１７日に起きた兵庫県南部地震では、約５，３００名を超える犠牲者が出たが、そのうちの実に９割の人達が倒壊した家具や建物の下敷きとなるか、或は家具や建物の下敷きとなった結果死亡したことは記憶に新しいところである。また、近いところでは、中越地震の際にも倒れてきた家具の下敷きとなって怪我をした人が続出したとのことである。かかる場合に倒壊した家具や建物の下敷きとなっても壊れない頑丈な避難空間が身近にあったならば、多くの人命が失われたり怪我をせずに済んだであろうことを思うと、誠に残念でならない。地震がいつ起こるかはとくに直下型の場合には、予測がつかないのが現状であるが、身近にすぐ避難できる避難空間があることは非常に大切である。地震の際に一般家庭で身近にある避難空間と言えば、食卓等に使用するテーブルの下が最も手近である。
【０００３】
そこで、このテーブルに耐震性を与え、地震の際にその下へ避難しても安全なようにすれば、地震の際の身体、生命の安全性の確保に役立つことは明らかである。
【０００４】
このような目的で開発されたものとして、下記特許文献１に記載されたものが公知である。この特許文献１に記載されたものは、金属製のパイプで骨格を組み、この骨格の上に天板を載置固定させると共に、この天板の下方に位置して該天板の下部に避難した人がつかまりことができるつかまり棒を前記骨格に取り付けて設けたもので、骨組みは、金属のパイプを連結する各部分に継手を設け、この継手に骨組みの枠体を構成する枠部材、脚部、補強部材、及びつかまり棒を連結させて各々複数のボルトで固着するものであった。
【０００５】
【特許文献１】特開平８−３２２６４６号公開特許公報
【発明の開示】
【発明が解決しようとする課題】
【０００６】
上述した従来公知の地震用テーブルは、金属プレートや金属製のパイプをふんだんに用いてあり、頑丈であっても、重量があって輸送や設置後の移動が困難であったり、構造が複雑であったため、現場での組み立てに時間を要するという問題があった。
【０００７】
この発明の目的は、簡単な構造でも充分な強度を有し、輸送及び現場での組立や移動を容易となし安全性を高めた地震用テーブルを提供せんとするにある。
【課題を解決するための手段】
【０００８】
上述した目的を達成するためにこの発明は、金属製のパイプで構成した枠体と、この枠体の内側に中央部で交叉するように差し渡した同じく金属製のパイプから成る複数の補強部材と、前記枠体の内側に張設した同じく金属製のパンチプレートと、前記枠体の下面に着脱可能に取り付けた複数の金属製パイプから成る脚部と、前記補強部材の中央部下面に着脱可能に取り付けたつかまり棒と、下面に前記枠体を嵌入固定させる取付枠体を設け、前記枠体の上面に着脱可能に設置されたテーブル板と、で構成したことを特徴とする。
【０００９】
その際にこの発明は、前記取付枠体を、前記脚部を取り付ける複数の金属製のパイプから成る金属製のパイプから成る取付筒体に枠部材を固着することによって構成することができる。
【００１０】
この発明はさらに、前記補強部材の交叉部分に、つかまり棒を取り付ける取付筒体に固着することができる。
【００１１】
この発明はさらに、前記脚部とつかまり棒のいずれか一方或は双方を取り付ける取付筒体に、内部にその中心部軸方向へ挿通孔を設けた取付板部を取り付け、前記脚部とつかまり棒のいずれか一方或は双方の内部にその中心部軸方向へ雌捻子孔を設けた締着板部を取り付け、前記脚部とつかまり棒のいずれか一方或は双方の上端側を前記取付筒体へ挿入させた上で、取付ボルトを前記挿入孔を介して挿入させて前記雌捻子孔へ捻子着させることができる。
【００１２】
そして、この発明は、前記脚部の一部に、その下端部側に当該脚部を傾けた時に接地する移動手段を取り付けることができる。
【発明の効果】
【００１３】
請求項１乃至４によれば、地震の際に避難し易く、かつ重い家具が倒れて来たり、天井が落下して来たりした場合でも容易に押し潰されてしまうことなく、安全な避難空間を保持することができるので、避難者の身体と生命の安全を確保することが出来る上に、構造が簡単で組立分解が容易であるので、運送時に嵩張ることなくコンパクトにまとめることができて、運送費を低く抑えることができた上で、現場での組立も容易となるものである。また、枠体に張設してあるパンチプレートはテーブル板が外れても、かつテーブル板が破壊されても、落下物を受け止め、下に避難している人の安全性を確保することが出来るものである。
【００１４】
請求項５によれば、部屋内での移動の際に、容易に地震用テーブルを移動できるという効果を奏し得る。
【発明を実施するための最良の形態】
【００１５】
以下にこの発明の一実施例を図面に基いて詳細に説明する。
【実施例１】
【００１６】
図面において、図１はこの発明に係る地震用テーブルの斜視図、図２はその一部分解斜視図、図３はテーブル板を底面から見た斜視図、図４は地震用テーブルの底面図、図５はこの発明に係る地震用テーブルの縦断面図、図６は脚部やつかまり棒８はこの発明に係る地震用テーブルの効果についての説明図であり、図９はその使用例を示す説明図である。
【００１７】
図面によれば、図１乃至図７において、指示記号１で示されたものは、平面矩形状を呈した枠体であり、この枠体１は、金属製で断面角状のパイプから成る長短の枠部材２，２・３，３を各コーナーを構成する部分に後述する脚部の金属製の取付筒体４，４・・・を設置し、この各取付筒体４，４・・・の側部に長短の枠部材２，２・３，３を溶着することによって構成したものである。
【００１８】
勿論、この枠体１は、枠部材を平面矩形状を呈するように溶着して、その各コーナーの下面に取付筒体をその上端縁において溶着するようにしても良いし、枠体の平面形状についても矩形状に限定されるものではなく、丸形状やその他の四角形状等多角形状のものを任意に選択できる。この枠部材は通常のスチールパイプであり、その寸法は、２２ｍｍ×４６ｍｍであり、材厚は１．２ｍｍである。
【００１９】
枠体１の内側には、長短の各枠部材２，２・３，３の中央部に溶着されてその平面上の中止部で交叉するように配置された同じく金属製のパイプで作った長短の補強部材５，５・６，６が取り付けられており、その交叉位置には、後述するつかまり棒を取り付ける取付筒体７が溶着により取り付けられている。即ち、補強部材５，５・６，６の交叉位置に設けられた取付筒体７の側部に各補強部材５，５・６，６の一端部が溶着されている。
【００２０】
勿論、この取付筒体７の取り付け方も互いの補強部材をその交叉位置で溶着し、その交叉位置の下面にその上端縁において取付筒体を溶着しても良い。
【００２１】
この補強部材５，５・６，６も通常のスチールパイプを用いてあり、その寸法は３０ｍｍ×３０ｍｍであり、材厚は１．６ｍｍである。取付筒体４と７も通常のスチールパイプでその外径は５４ｍｍであり、その材厚は４ｍｍである。
【００２２】
次に、枠体１の各枠部材２，２・３，３と補強部材５，５・６，６の間には、多数のパンチ孔８ａを設けたパンチプレート８が取り付けられている。即ち、このパンチプレート８は、実施例のものは、平面矩形状を呈した４枚のもので構成されており、その縁部を折り曲げて各枠部材２，２・３，３や補強部材５，５・６，６の内側に溶着されている。パンチ孔８ａの設け方は、実施例のものは規則正しく設けられているが、ランダムに構成しても良い。このパンチプレート８は通常の鉄板であり、その材厚は実施例のもので１．２ｍｍであり、パンチ孔８ａの径は１０ｍｍであるが、このものに限定されない。
【００２３】
次に指示記号９，９・・・と１０は、脚部とつかまり棒であり、各々その上端部側を取付筒体４，４・・・と７に挿入させ、取付ボルト１１，１１・・・と１６で固定してある。この取付ボルト１１の部分は、とくに図６に示したように、各取付筒体４，４・・・又は７の内側に中心部に挿通孔１２ａ，１２ａ・・・（一部の見表示）と１３ａを設けた取付板部１２，１２・・・（一部のみ表示）１３が溶着されると共に、脚部９，９とつかまり棒１０ａの側にもその内部に締着板部１４，１４・・・と１５が取り付けられており、この締着板部１４，１４・・・と１５には、雌捻子孔１４ａ，１４ａ・・・と１５ａが設けられている。
【００２４】
そして、各脚部９，９・・・とつかまり棒１０は、その上端側を各取付筒体４，４・・・と７へ挿入させて、各取付孔１２ａ，１２ａ・・・（一部のみ表示）と１３ａを通した取付ボルト１１，１１・・・と１６を各雌捻子孔１４ａ，１４ａ・・・と１５ａへ捻子着させることにより、各取付筒体４，４・・・と７へ固着されている。
【００２５】
各脚部９，９・・・とつかまり棒１０は、その下端部には、底蓋９ａ，９ａ・・・と１０ａが取り付けられ、この底蓋９ａ，９ａ・・・と１０ａに公知構成の高さ調節手段１７，１７・・・と１８が設けられると共に、片側の脚部９，９には、さらに移動手段１９，１９が設けられている。この移動手段１６，１６は、とくに図７に示したように、滑車１９ａ，１９ａと、この滑車１９ａ，１９ａを覆うカバー体１９ｂ，１９ｂとで構成され、この滑車１９ａ，１９ａの高さを、高さ調節手段１７，１７の下端面より高く設定してある。
【００２６】
そして、指示記号２０で示したものが、テーブル板である。このテーブル板２０は、実施例のものは木製であり、枠体１よりも面積の広い平面矩形状のものである。材厚は約２８ｍｍであり、このテーブル板２０の下面には、枠体１を内部に収める平面矩形状を呈した取付枠体２１が取り付けられている。
【００２７】
したがって、この発明に係る地震用テーブルＡは、とくに図２と図４に示したように、パンチプレート８，８・・・を取り付けた枠体１、４本の脚部９、１本のつかまり棒１０、及びテーブル板２０とに分離されており、それぞれを梱包して輸送し、購入者が例えば各家庭の設置現場で組み立てるものであり、各脚部９とつかまり棒１０を枠体１の取付筒体４，４・・・と７に挿入させて取付ボルト１１で上述したように固着し、枠体１の上部にテーブル板２０を被せるだけで組立が完了する。枠体１の枠部材２，３及び又は補強部材５，６の上面には両面粘着テープ２２を貼り付けて、その上からテーブル板２０を被せ、取付枠体１２の中に枠体１を嵌め込むことによって、テーブル板２０は枠体１へ固定される。
【００２８】
このように組み立てた地震用テーブルＡを例えば食堂や居間等に置いておいて、地震が来た時にあわてて外へ逃げ出すのではなく、揺れが治まるまでその下に逃げ込んでつかまり棒１０につかまっていることにより、頭上の安全が確保され、建物や家具の倒壊によりその下敷きになって怪我をしたり、生命を失ったりすることを未然に防止することができるものである。
【００２９】
尚、実施例の地震用テーブルＡは、実験では３０ｔの垂直荷重に耐えることを確かめてある。
【００３０】
図８に示したように、地震の際に例えば家具２３が倒れて来て地震用テーブルＡのテーブル板２０の端部へ荷重が加えられた時には、該テーブル板２０が枠体１より外れて持ち上がることにより、梃子の原理で地震用テーブルＡの片側が起き上がってしまい、中に避難した人に危険が及ぶことを防止することができるものである。
【００３１】
さらに、設置した部屋の中で地震用テーブルＡを動かす時には、図９に示したように、移動手段１９を設けてない方の側の枠体１へ下側から手を入れて持ち上げると、図７に示した移動手段１９の滑車１９ａが接地するので、そのまま押すか引くかすることによって、通常のテーブルよりは重量のある地震用テーブルＡを容易に移動させることが可能となるものである。
【産業上の利用可能性】
【００３２】
以上詳細に説明したように、この発明に係る地震用テーブルは、これを一般家庭や工場、オフィス等に設置することにより、建物が壊れたり、家具等が倒れたりする震度の地震の際に、その下へ逃げ込んでつかまり棒へつかまっていることにより、身体が外へ放り出されることなく、その上部からの落下物や倒壊物より身体、生命の安全を確保することが可能となるものである。
【図面の簡単な説明】
【００３３】
【図１】この発明に係る地震用テーブルの斜視図である。
【図２】図１に示した地震用テーブルの一部分解斜視図である。
【図３】図１に示した地震用テーブルのテーブル板を底面の側から見た斜視図である。
【図４】図１に示した地震用テーブルの底面図である。
【図５】図１に示した地震用テーブルの一部欠載の縦断面図である。
【図６】図１に示した地震用テーブルの脚部とつかまり棒の連結部の部分の拡大断面図          である。
【図７】図１に示した地震用テーブルの脚部に取り付けた移動手段の部分の斜視図であ          る。
【図８】図１に示した地震用テーブルの効果を説明する説明図である。
【図９】図１に示した地震用テーブルの使用例を説明する説明図である。
【符号の説明】
【００３４】
１  枠体
２  枠部材（長）
３  枠部材（短）
４  取付筒体
５  補強部材（長）
６  補強部材（短）
７  取付筒体
８  パンチプレート
８ａ  パンチ孔
９  脚部
９ａ  底蓋
１０  つかまり棒
１０ａ  底蓋
１１  取付ボルト
１２  取付板部
１２ａ  挿通孔
１３  取付板部
１３ａ  挿通孔
１４  締着板給
１４ａ  雌捻子孔
１５  締着板給
１５ａ  雌捻子孔
１６  取付ボルト
１７  高さ調節手段
１８  高さ調節手段
１９  移動手段
１９ａ  滑車
１９ｂ  カバー体
２０  テーブル板
２１  取付枠体
２２  両面粘着テープ
【図１】
2006239124.tif 000003
【図２】
2006239124.tif 000004
【図３】
2006239124.tif 000005
【図４】
2006239124.tif 000006
【図５】
2006239124.tif 000007
【図６】
2006239124.tif 000008
【図７】
2006239124.tif 000009
【図８】
2006239124.tif 000010
【図９】
2006239124.tif 000011